【手続補正書】
【提出日】平成16年8月26日(2004.8.26)
【手続補正１】
【補正対象書類名】特許請求の範囲
【補正対象項目名】全文
【補正方法】変更
【補正の内容】
【特許請求の範囲】
【請求項１】
誘導層に薄膜アンテナ列を格子状に内蔵したタッチ制御型ディスプレイとして、少なくともタッチ制御型ディスプレイスクリーンと本体とを有し、
前記誘導層は、前記タッチ制御型ディスプレイスクリーンの後方に配置され、この誘導層の出力端は誘導制御回路に接続し、前記本体内には、タッチ型ディスプレイ制御回路が配置されてなる誘導層に薄膜アンテナ列を格子状に内蔵したタッチ制御型ディスプレイにおいて、
前記誘導層は絶縁薄膜上にＸ、Ｙ軸方向に沿って形成されたアンテナ列であり、
このアンテナ列の格子に包囲された単位領域が、単位誘導セルを構成すること
を特徴とする誘導層に薄膜アンテナ列を格子状に内蔵したタッチ制御型ディスプレイ。
【請求項２】
前記誘導層の後方に、装置の耐干渉能力を強化するための被覆層を配置したこと
を特徴とする請求項１に記載の誘導層に薄膜アンテナ列を格子状に内蔵したタッチ制御型ディスプレイ。
【請求項３】
前記誘導層と被覆層との間に、バッファー層を配置したこと
を特徴とする請求項２に記載の誘導層に薄膜アンテナ列を格子状に内蔵したタッチ制御型ディスプレイ。
【請求項４】
前記被覆層とタッチ型ディスプレイ制御回路との間に、空間があること
を特徴とする請求項３に記載の誘導層に薄膜アンテナ列を格子状に内蔵したタッチ制御型ディスプレイ。
【請求項５】
前記誘導層は、絶縁薄膜上に形成した銀ペースト又は銀ペーストとカーボンペーストとの混合物により形成したアンテナであり、前記誘導層は、前記絶縁薄膜の両面あるいは片面に形成することにより、一方の絶縁薄膜の上に他方の絶縁薄膜を重ねた重複構造としたこと
を特徴とする請求項１に記載の誘導層に薄膜アンテナ列を格子状に内蔵したタッチ制御型ディスプレイ。
【請求項６】
前記誘導制御回路の機器は、前記誘導層から分離された印刷線路基板上に配置し、
前記誘導層の前記アンテナ列の出力端子は、圧着接続、プラグイン接続、溶接接続のいずれかの手段で、前記印刷線路基板のそれぞれ対応する入力端と接続したこと
を特徴とする請求項１に記載の誘導層に薄膜アンテナ列を格子状に内蔵したタッチ制御型ディスプレイ。
【請求項７】
前記誘導層の前記アンテナ列の出力端子は、ハードシートと印刷線路基板との間に配置し、
前記バッファー層は、前記ハードシートと前記アンテナ列の出力端子との間に配置し、
前記ハードシートと前記バッファー層と前記アンテナ列の出力端子とは、ひねられた状態で印刷線路基板に重ねた重複構造とし、
前記アンテナ列の出力端子は、印刷線路基板の対応する入力端子に接続したこと
を特徴とする請求項６に記載の誘導層に薄膜アンテナ列を格子状に内蔵したタッチ制御型ディスプレイ。
【請求項８】
前記印刷線路基板は、タッチ制御型ディスプレイスクリーンの前記本体内のディスプレイスクリーン制御回路の印刷線路基板であること
を特徴とする請求項７に記載の誘導層に薄膜アンテナ列を格子状に内蔵したタッチ制御型ディスプレイ。
【請求項９】
前記印刷線路基板は、タッチ制御型ディスプレイスクリーンの本体外のディスプレイスクリーン制御回路の印刷線路基板であり、あるいは独立ユニットであり、あるいはＰＣのメインボードに配置したものであり、
これら相互の接続は、線路あるいはケーブル接続であること
を特徴とする請求項７に記載の誘導層に薄膜アンテナ列を格子状に内蔵したタッチ制御型ディスプレイ。
【請求項１０】
前記ディスプレイスクリーンの前面に、保護層を配置したこと
を特徴とする請求項１に記載の誘導層に薄膜アンテナ列を格子状に内蔵したタッチ制御型ディスプレイ。
【手続補正２】
【補正対象書類名】明細書
【補正対象項目名】０００９
【補正方法】変更
【補正の内容】
【０００９】
請求項１に係る発明は、誘導層に薄膜アンテナ列を格子状に内蔵したタッチ制御型ディスプレイとして、少なくともタッチ制御型ディスプレイスクリーンと本体とを有し、
前記誘導層は、前記タッチ制御型ディスプレイスクリーンの後方に配置され、この誘導層の出力端は誘導制御回路に接続し、前記本体内には、タッチ型ディスプレイ制御回路が配置されてなる誘導層に薄膜アンテナ列を格子状に内蔵したタッチ制御型ディスプレイにおいて、誘導層は絶縁薄膜上にＸ、Ｙ軸方向に沿って形成されたアンテナ列であり、このアンテナ列の格子に包囲された単位領域が、単位誘導セルを構成するものである。さらに、コストを下げるために、絶縁薄膜はフルム材質を使用したものである。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
請求項２に係る発明は、請求項１に記載の発明において、誘導層の後方に、装置の耐干渉能力を強化するための被覆層を配置したものである。
【手続補正６】
【補正対象書類名】明細書
【補正対象項目名】００１３
【補正方法】変更
【補正の内容】
【００１３】
請求項３に係る発明は、請求項２に記載の発明において、誘導層と被覆層との間に、バッファー層を配置したものである。
【手続補正７】
【補正対象書類名】明細書
【補正対象項目名】００１４
【補正方法】変更
【補正の内容】
【００１４】
請求項４に係る発明は、請求項３に記載の発明において、被覆層とタッチ型ディスプレイ制御回路との間に、空間があることである。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
請求項５に係る発明は、請求項１に記載の発明において、誘導層は、絶縁薄膜上に形成した銀ペースト又は銀ペーストとカーボンペーストとの混合物により形成したアンテナであり、誘導層は、絶縁薄膜の両面あるいは片面に形成することにより、一方の絶縁薄膜の上に他方の絶縁薄膜を重ねた重複構造としたことである。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】変更
【補正の内容】
【００２３】
請求項６に係る発明は、請求項１に記載の発明において、誘導制御回路の機器は、誘導層から分離された印刷線路基板上に配置し、誘導層のアンテナ列の出力端子は、圧着接続、プラグイン接続、溶接接続のいずれかの手段で、前記印刷線路基板のそれぞれ対応する入力端と接続したことである。
【手続補正１７】
【補正対象書類名】明細書
【補正対象項目名】００２４
【補正方法】変更
【補正の内容】
【００２４】
請求項７に係る発明において、請求項６に記載の発明において、誘導層のアンテナ列の出力端子は、ハードシートと印刷線路基板との間に配置し、バッファー層は、ハードシートとアンテナ列の出力端子との間に配置し、ハードシートとバッファー層とアンテナ列の出力端子とは、ひねられた状態で印刷線路基板に重ねた重複構造とし、アンテナ列の出力端子は、印刷線路基板の対応する入力端子に接続したことである。
【手続補正１８】
【補正対象書類名】明細書
【補正対象項目名】００２５
【補正方法】変更
【補正の内容】
【００２５】
請求項８に係る発明は、請求項７に記載の発明において、印刷線路基板は、タッチ制御型ディスプレイスクリーンの本体内のディスプレイスクリーン制御回路の印刷線路基板である。
【手続補正１９】
【補正対象書類名】明細書
【補正対象項目名】００２６
【補正方法】変更
【補正の内容】
【００２６】
請求項９に係る発明は、請求項７に記載の発明において、印刷線路基板は、タッチ制御型ディスプレイスクリーンの本体外のディスプレイスクリーン制御回路の印刷線路基板であり、あるいは独立ユニットであり、あるいはＰＣのメインボードに配置したものであり、これら相互の接続は、線路あるいはケーブル接続である。
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】変更
【補正の内容】
【００２９】
請求項１０に係る発明は、請求項１に記載の発明において、ディスプレイスクリーンの前面に、保護層を配置したことである。
【手続補正２３】
【補正対象書類名】明細書
【補正対象項目名】００３０
【補正方法】削除
【補正の内容】
【手続補正２４】
【補正対象書類名】明細書
【補正対象項目名】００３３
【補正方法】変更
【補正の内容】
【００３３】
ディスプレイスクリーンの後方に配置されている電磁誘導層が、信号を発生し、さらに、タッチスクリーンと同様に、ディスプレイスクリーンの表面に防護膜が塗布されているので、物理的な損傷を容易に排除することが出来、寿命が長く、耐久性のあるディスプレイスクリーンが得られる。又、ディスプレイスクリーンは、プラズマディスプレイスクリーンあるいは液晶ディスプレイスクリーンとすることが出来る。
【手続補正２５】
【補正対象書類名】明細書
【補正対象項目名】００４６
【補正方法】変更
【補正の内容】
【００４６】
図３、図４に示すように、誘導層４は、Ｘ、Ｙ軸方向に形成され、絶縁薄膜５５上に印刷されたアンテナ列５２、５１であり、各格子ユニットにより包囲された領域は、単位誘導セル５３を構成する。コストを下げるために、絶縁薄膜５５は、フィルム状材質である。誘導層４は、絶縁薄膜５５上を覆っている銅箔膜をエッチングした後に形成されるアンテナ列でもよく、又、可撓性印刷回路（ＦＰＣ）により形成されたアンテナ列でも良く、銀ペーストあるいは銀ペーストとカーボンペーストとの混合物により、絶縁薄膜５５上に形成されたアンテナ列でも良い。
【手続補正２６】
【補正対象書類名】明細書
【補正対象項目名】００４９
【補正方法】削除
【補正の内容】
【手続補正２７】
【補正対象書類名】明細書
【補正対象項目名】００５３
【補正方法】変更
【補正の内容】
【００５３】
さらに、印刷線路基板は、ディスプレイスクリーンの本体外に配置されているディスプレイスクリーン制御回路の印刷線路基板となり、独立の装置としてあるいはＰＣのメインボードに配置されており、互いに線路あるいはケーブルで接続されている。誘導制御回路は、本体外に配置されており、本体とは電気的な接続手段で接続されている。誘導層のアンテナ列の出力端子は、圧着接続、プラグイン接続、溶接接続により、誘導層の出力端子と接続されている。制御回路には、誘導層と電気的にマッチングするインタフェースが接続されている。